(57)【要約】【課題】ネットワークへの接続要求を停止させた端末について、リソースの消費を抑制しつつネットワークへの接続要求を再開させること。【解決手段】通信制御装置１１０は、保持部１１１と、制御部１１２と、を備える。保持部１１１は、端末１２１によるネットワーク１０１への接続要求を停止させる制御を行った際の端末１２１の在圏情報を保持する。制御部１１２は、端末１２１に接続要求を再開させる制御信号を、保持部１１１によって保持された在圏情報に応じた制御信号処理装置１３１から送信させる制御を行う。【選択図】図１
2018129771.tif 000002
【特許請求の範囲】
【請求項１】
端末によるネットワークへの接続要求を停止させる制御を行った際の前記端末の在圏情報を保持する保持部と、
前記端末に前記接続要求を再開させる制御信号を、前記保持部によって保持された前記在圏情報に応じた制御信号処理装置から送信させる制御を行う制御部と、
を備えることを特徴とする通信制御装置。
【請求項２】
前記制御信号は着呼信号であり、前記制御信号処理装置は呼制御装置であることを特徴とする請求項１に記載の通信制御装置。
【請求項３】
前記制御部は、前記保持部によって保持された前記在圏情報を他の通信制御装置へ送信することにより、前記在圏情報に応じた制御信号処理装置から前記制御信号を送信させる制御を前記他の通信制御装置に実行させることを特徴とする請求項１または２に記載の通信制御装置。
【請求項４】
ネットワークへの接続要求を行う端末と、
前記端末による前記接続要求を停止させる制御を行った際の前記端末の在圏情報を保持し、前記端末に前記接続要求を再開させる制御信号を、保持した前記在圏情報に応じた制御信号処理装置から送信させる制御を行う通信制御装置と、
を含むことを特徴とする通信システム。
【請求項５】
端末によるネットワークへの接続要求を停止させる制御を行った際の前記端末の在圏情報を保持し、
前記端末に前記接続要求を再開させる制御信号を、保持した前記在圏情報に応じた制御信号処理装置から送信させる制御を行う、
処理をコンピュータに実行させることを特徴とする通信制御プログラム。
【請求項６】
端末によるネットワークへの接続要求を停止させる制御を行った際の前記端末の在圏情報を保持し、
前記端末に前記接続要求を再開させる制御信号を、保持した前記在圏情報に応じた制御信号処理装置から送信させる制御を行う、
ことを特徴とする通信制御方法。
【発明の詳細な説明】
【技術分野】
【０００１】
本発明は、無線通信を制御する通信制御装置、通信システム、通信制御プログラムおよび通信制御方法に関する。
【背景技術】
【０００２】
従来、３ＧＰＰにおいて、第３世代移動通信システム（３Ｇ）、第３．９世代移動通信システムに対応するＬＴＥ、第４世代移動通信システムに対応するＬＴＥ−Ａｄｖａｎｃｅｄなどの移動通信システムの仕様が検討されている。３ＧＰＰは３ｒｄ  Ｇｅｎｅｒａｔｉｏｎ  Ｐａｒｔｎｅｒｓｈｉｐ  Ｐｒｏｊｅｃｔの略である。ＬＴＥはＬｏｎｇ  Ｔｅｒｍ  Ｅｖｏｌｕｔｉｏｎの略である。また、第５世代移動通信システム（５Ｇ）に関する技術の検討も開始されている。
【０００３】
また、無線を用いてマルチゾーン構成の無線電話機に制御情報を書き込み、無線電話機は照合用コードが一致した場合に応答を返す技術が知られている（たとえば、下記特許文献１参照。）。また、基地局が、電話通信の契約が解除されたユーザである場合に、認証要求してきた携帯電話端末に対して、自分の事業者コードをファイルＦＰＬＭＮに書き込むように指示する技術が知られている（たとえば、下記特許文献２参照。）。この技術において、携帯電話端末は、ファイルＦＰＬＭＮに書き込まれている事業者コードを有する事業者の基地局に対してはアクセスせず、契約解除した事業者の基地局に対しては認証要求を出さない。
【先行技術文献】
【特許文献】
【０００４】
【特許文献１】特開平２−５４６３６号公報
【特許文献２】特開２００８−２８７９２号公報
【発明の概要】
【発明が解決しようとする課題】
【０００５】
しかしながら、上述した従来技術では、たとえば契約解除によりネットワークへの接続要求を停止させた端末の位置がネットワーク側では不明である。このため、その端末へ制御信号を送信することができず、たとえば再契約時にその端末にネットワークへの接続要求を再開させることができないという問題がある。
【０００６】
また、たとえば、ネットワークへの接続要求を停止させた端末に接続要求を再開させる制御信号をネットワークの全域に対して送信することも考えられるが、ネットワークのリソースの消費が大きいという問題がある。
【０００７】
１つの側面では、本発明は、ネットワークへの接続要求を停止させた端末について、リソースの消費を抑制しつつネットワークへの接続要求を再開させることができる通信制御装置、通信システム、通信制御プログラムおよび通信制御方法を提供することを目的とする。
【課題を解決するための手段】
【０００８】
上述した課題を解決し、目的を達成するため、１つの実施態様では、端末によるネットワークへの接続要求を停止させる制御を行った際の前記端末の在圏情報を保持し、前記端末に前記接続要求を再開させる制御信号を、保持した前記在圏情報に応じた制御信号処理装置から送信させる制御を行う通信制御装置、通信システム、通信制御プログラムおよび通信制御方法が提案される。
【発明の効果】
【０００９】
本発明の一側面によれば、ネットワークへの接続要求を停止させた端末について、リソースの消費を抑制しつつネットワークへの接続要求を再開させることができるという効果を奏する。
【図面の簡単な説明】
【００１０】
【図１】図１は、実施の形態にかかる通信システムの一例を示す図である。
【図２】図２は、実施の形態にかかるＬＴＥ通信システムの一例を示す図である。
【図３】図３は、実施の形態にかかる通信システムにおけるアタッチ要求の停止処理の一例を示すシーケンス図である。
【図４】図４は、実施の形態にかかる各装置におけるアタッチ要求の停止処理の一例を示すフローチャートである。
【図５】図５は、実施の形態にかかる通信システムにおけるアタッチ要求の停止処理の他の一例を示すシーケンス図である。
【図６】図６は、実施の形態にかかる各装置における接続要求の停止処理の他の一例を示すフローチャートである。
【図７】図７は、実施の形態にかかる通信システムにおけるアタッチ要求の再開処理の一例を示すシーケンス図である。
【図８】図８は、実施の形態にかかる各装置における接続要求の再開処理の一例を示すフローチャートである。
【図９】図９は、実施の形態にかかるＵＥの状態遷移の一例を示す図である。
【図１０】図１０は、実施の形態にかかるＵＥによる処理の一例を示すフローチャートである。
【図１１】図１１は、実施の形態にかかるＨＳＳによる処理の一例を示すフローチャートである。
【図１２】図１２は、実施の形態にかかるＢＳＳによる処理の一例を示すフローチャートである。
【図１３】図１３は、実施の形態にかかる各装置の一例を示す図である。
【図１４】図１４は、実施の形態にかかるＢＳＳおよびＨＳＳのハードウェア構成の一例を示す図である。
【図１５】図１５は、実施の形態にかかるＵＥのハードウェア構成の一例を示す図である。
【図１６】図１６は、実施の形態にかかる在圏情報の一例を示す図である。
【図１７】図１７は、実施の形態にかかる通信システムにおけるアタッチ要求の再開処理の他の一例を示すシーケンス図である。
【発明を実施するための形態】
【００１１】
以下に図面を参照して、本発明にかかる通信制御装置、通信システム、通信制御プログラムおよび通信制御方法の実施の形態を詳細に説明する。
【００１２】
（実施の形態）
（実施の形態にかかる通信システム）
図１は、実施の形態にかかる通信システムの一例を示す図である。図１に示すように、実施の形態にかかる通信システム１００は、通信制御装置１１０と、端末１２１と、を含む。また、通信システム１００は、さらに、制御信号処理装置１３１と、基地局１４１と、を含んでもよい。ネットワーク１０１は、通信制御装置１１０と、制御信号処理装置１３１と、基地局１４１と、を含む移動体ネットワークである。
【００１３】
端末１２１は、制御信号処理装置１３１と接続された基地局１４１との間で無線通信が可能な無線端末である。一例としては、端末１２１はＬＴＥのＵＥ（Ｕｓｅｒ  Ｅｑｕｉｐｍｅｎｔ：ユーザ端末）である。端末１２１は、たとえば基地局１４１との間で無線通信を行うことにより、ネットワーク１０１への接続要求を行う。一例としては、ネットワーク１０１への接続要求はＬＴＥのアタッチ要求（アタッチ要求信号の送信）である。また、端末１２１は、たとえば、センサノードなど、特定の場所に固定的に配置される非モバイルデバイスである。
【００１４】
制御信号処理装置１３１は、ネットワーク１０１において呼制御を行う制御装置（たとえば呼制御装置）である。たとえば、制御信号処理装置１３１は、基地局１４１を介して端末１２１との間で通信が可能である。一例としては、制御信号処理装置１３１はＬＴＥのＭＭＥ（Ｍｏｂｉｌｉｔｙ  Ｍａｎａｇｅｍｅｎｔ  Ｅｎｔｉｔｙ：移動性管理エンティティ）である。また、ネットワーク１０１には制御信号処理装置１３１の他にも呼制御装置が含まれる。たとえば、ネットワーク１０１においてはエリアごとに呼制御装置が設けられており、制御信号処理装置１３１は、端末１２１が在圏するエリアに対応する呼制御装置である。
【００１５】
基地局１４１は、制御信号処理装置１３１に接続され、端末１２１との間で無線通信が可能な無線基地局である。一例としては、基地局１４１はＬＴＥのｅＮＢ（ｅｖｏｌｖｅｄ  Ｎｏｄｅ  Ｂ）である。
【００１６】
通信制御装置１１０は、ネットワーク１０１において契約に関する処理を行う制御装置である。一例としては、通信制御装置１１０はＬＴＥのＢＳＳ（Ｂｕｓｉｎｅｓｓ  Ｓｕｐｐｏｒｔ  Ｓｙｓｔｅｍ：ビジネスサポートシステム）である。たとえば、通信制御装置１１０は、保持部１１１と、制御部１１２と、を備える。
【００１７】
たとえば、通信制御装置１１０は、端末１２１によるネットワーク１０１への接続要求を停止させる制御を行う。この制御はたとえば制御部１１２により行われる。たとえば、制御部１１２は、端末１２１によるネットワーク１０１への接続要求を停止させる制御信号を、制御信号処理装置１３１から基地局１４１を介して端末１２１へ送信させる制御を行う。
【００１８】
また、たとえば、制御部１１２は、端末１２１がネットワーク１０１に接続できる状態からネットワーク１０１に接続できない状態になると、この接続要求を停止させる制御を行う。端末１２１がネットワーク１０１に接続できる状態は、たとえば、端末１２１のユーザがネットワーク１０１の事業者と契約することによって、端末１２１がネットワーク１０１に接続してデータ通信を行うことが許可された状態である。端末１２１がネットワーク１０１に接続できない状態は、たとえば、端末１２１のユーザがネットワーク１０１の事業者との契約を解除することによって、端末１２１がネットワーク１０１に接続してデータ通信を行うことが許可されなくなった状態である。
【００１９】
たとえば、端末１２１は、ネットワーク１０１への接続要求を停止させる制御信号を受信すると、ネットワーク１０１の識別子を端末１２１の不揮発性メモリの所定情報として格納する。一例としては、ネットワーク１０１の識別子はネットワーク１０１のＰＬＭＮ（Ｐｕｂｌｉｃ  Ｌａｎｄ  Ｍｏｂｉｌｅ  Ｎｅｔｗｏｒｋ）番号である。また、一例としては、この所定情報はＦＰＬＭＮ（Ｆｏｒｂｉｄｄｅｎ  Ｐｕｂｌｉｃ  Ｌａｎｄ  Ｍｏｂｉｌｅ  Ｎｅｔｗｏｒｋ）番号である。端末１２１は、上述した所定情報に識別子が格納されたネットワーク１０１に対しては接続要求を行わない。これにより、端末１２１によるネットワーク１０１への接続要求を停止することができる。
【００２０】
端末１２１がネットワーク１０１への接続要求を停止することで、たとえば端末１２１がネットワーク１０１に接続できない状態において端末１２１がネットワーク１０１への接続要求を繰り返しリトライすることを回避することができる。このため、ネットワーク１０１におけるリソースの消費を抑制することができる。
【００２１】
端末１２１の不揮発性メモリは、一例としては端末１２１のＳＩＭ（Ｓｕｂｓｃｒｉｂｅｒ  Ｉｄｅｎｔｉｔｙ  Ｍｏｄｕｌｅ：加入者識別モジュール）における書き込み可能な記憶領域である。ただし、ネットワーク１０１の識別子が格納される不揮発性メモリは、ＳＩＭに限らず端末１２１が有する各種の不揮発性メモリとすることができる。
【００２２】
保持部１１１は、端末１２１によるネットワーク１０１への接続要求を停止させる制御が制御部１１２によって行われた際の端末１２１の在圏情報を保持する。在圏情報は、たとえば端末１２１が位置するエリアを示す情報である。たとえば、制御信号処理装置１３１は都道府県などのエリアごとに設けられた制御装置であり、在圏情報は、端末１２１の識別子と、端末１２１が属していた制御信号処理装置１３１の識別子と、の組み合わせの情報である。たとえば、保持部１１１は、端末１２１の在圏情報を管理するサーバから端末１２１の在圏情報を受信し、受信した在圏情報を保持する。端末１２１の在圏情報を管理するサーバは、一例としてはＨＳＳ（Ｈｏｍｅ  Ｓｕｂｓｃｒｉｂｅｒ  Ｓｅｒｖｅｒ：ホーム加入者サーバ）である。
【００２３】
制御部１１２は、保持部１１１によって保持された在圏情報に応じた呼制御装置から、端末１２１に対する制御信号を送信させる制御を行う。この制御信号は、端末１２１に対して、停止したネットワークへの接続要求を再開させる信号である。一例としては、制御信号はページング信号（着呼信号）である。たとえば、制御部１１２は、在圏情報において端末１２１の識別子と対応付けられた制御信号処理装置１３１の識別子に基づいて、端末１２１によるネットワーク１０１への接続要求を停止させる際に端末１２１が属していた制御信号処理装置１３１を特定する。そして、制御部１１２は、特定した制御信号処理装置１３１に対して、基地局１４１を介して端末１２１へ制御信号を送信させる制御を行う。これにより、ネットワーク１０１への接続要求を停止させた端末１２１について、ネットワーク１０１への接続要求を再開させることができる。
【００２４】
また、たとえば、制御部１１２は、端末１２１がネットワーク１０１に接続できない状態からネットワーク１０１に接続できる状態になると、端末１２１に対する制御信号を送信させる制御を行う。この場合の端末１２１がネットワーク１０１に接続できる状態は、たとえば、端末１２１のユーザがネットワーク１０１の事業者と再契約することによって、端末１２１がネットワーク１０１に接続してデータ通信を行うことが許可された状態である。
【００２５】
端末１２１は、ネットワーク１０１への接続要求を再開させる制御信号を受信すると、端末１２１の不揮発性メモリの所定情報から、ネットワーク１０１の識別子を削除する。これにより、ネットワーク１０１への接続要求を停止させた端末１２１が、ネットワーク１０１への接続要求を再開する。
【００２６】
また、端末１２１によるネットワーク１０１への接続要求を停止させる際に通信制御装置１１０が保持しておいた在圏情報を用いて特定した制御信号処理装置１３１に限定して制御信号を送信させることができる。これにより、たとえば端末１２１がエリアを跨ぐほど大きく移動していない限り、制御信号を端末１２１に受信させることができる。
【００２７】
したがって、たとえばネットワーク１０１のすべての制御信号処理装置から（たとえば国内全域に対して）制御信号を送信させる構成に比べて、ネットワーク１０１のリソースの消費を抑制することができる。このため、ネットワーク１０１への接続要求を停止させた端末１２１について、ネットワーク１０１のリソースの消費を抑制しつつ、ネットワーク１０１への接続要求を再開させることができる。
【００２８】
（実施の形態にかかるＬＴＥ通信システム）
図２は、実施の形態にかかるＬＴＥ通信システムの一例を示す図である。図１に示した通信システム１００は、たとえば図２に示すＬＴＥ通信システム２００により実現することができる。ＬＴＥ通信システム２００は、たとえば、移動体ネットワーク２０１と、ＵＥ２５１〜２５３，…，２６１〜２６３，…，２７１〜２７３，…と、を含む。
【００２９】
移動体ネットワーク２０１は、特定の事業者によって運用されるＬＴＥの移動体ネットワークであり、たとえば、ＢＳＳ２１０と、ＨＳＳ２２０と、ＭＭＥ２３１〜２３３，…と、ｅＮＢ２４１〜２４３，…と、を含む。図１に示したネットワーク１０１は、たとえば移動体ネットワーク２０１により実現することができる。
【００３０】
ＢＳＳ２１０は、ユーザへの課金や請求などの処理を行う実務寄りの情報管理システムである。たとえば、ＢＳＳ２１０は、移動体ネットワーク２０１を運用される事業者のオペレータによって操作される。ＢＳＳ２１０は、監視インタフェースを介してＨＳＳ２２０と接続されている。また、ＢＳＳ２１０はＭＭＥ２３１〜２３３，…と接続されていてもよい。
【００３１】
ＨＳＳ２２０は、移動体ネットワーク２０１による無線通信サービスへの加入者の情報のデータベースを有する。ＨＳＳ２２０はＭＭＥ２３１〜２３３，…と接続されている。
【００３２】
ＭＭＥ２３１〜２３３，…は、各ＵＥの位置登録、呼出、ハンドオーバの制御を行う制御ノードである。たとえば、ＭＭＥ２３１は、ｅＮＢ２４１〜２４３と接続され、ｅＮＢ２４１〜２４３に無線接続したＵＥ２５１〜２５３，…，２６１〜２６３，…，２７１〜２７３，…に関する制御を行う。
【００３３】
ｅＮＢ２４１〜２４３，…は、ＬＴＥ方式の無線通信に対応した無線基地局である。ｅＮＢ２４１にはＵＥ２５１〜２５３，…が無線接続している。ｅＮＢ２４２にはＵＥ２６１〜２６３，…が無線接続している。ｅＮＢ２４３にはＵＥ２７１〜２７３，…が無線接続している。
【００３４】
ＵＥ２５１〜２５３，…，２６１〜２６３，…，２７１〜２７３，…は、たとえばＳＩＭカードが挿入された固定端末である。固定端末は、たとえば、地中、水中または高所に固定されたＩｏＴのセンサノードなどである。ＩｏＴはＩｎｔｅｒｎｅｔ  ｏｆ  Ｔｈｉｎｇｓ（モノのインターネット）の略である。また、ＵＥ２５１〜２５３，…，２６１〜２６３，…，２７１〜２７３，…は、一例としては、移動体ネットワーク２０１への接続の契約が季節単位で繰り返される（農作物関連で冬は契約しないなど）ＵＥである。
【００３５】
以下、一例として、ＵＥ２５１と、ＵＥ２５１に関する処理を行うｅＮＢ２４１、ＭＭＥ２３１、ＨＳＳ２２０およびＢＳＳ２１０について説明する。この場合に、図１に示した通信制御装置１１０は、たとえばＢＳＳ２１０により実現することができる。図１に示した端末１２１は、たとえばＵＥ２５１により実現することができる。図１に示した制御信号処理装置１３１は、たとえばＭＭＥ２３１により実現することができる。図１に示した基地局１４１は、たとえばｅＮＢ２４１により実現することができる。
【００３６】
（実施の形態にかかる通信システムにおけるアタッチ要求の停止処理）
図３は、実施の形態にかかる通信システムにおけるアタッチ要求の停止処理の一例を示すシーケンス図である。ＬＴＥ通信システム２００においては、アタッチ要求の停止処理として、たとえば図３に示す各ステップが実行される。図３に示す例では、たとえば、ＵＥ２５１が移動体ネットワーク２０１に未加入の状態になり、ＵＥ２５１からのアタッチ要求に対してＨＳＳ２２０で認証拒否し、ＵＥ２５１のアタッチ要求を停止させる場合について説明する。
【００３７】
まず、ＵＥ２５１が、ＵＥ２５１を移動体ネットワーク２０１に登録（アタッチ）することを要求するアタッチ要求信号（Ａｔｔａｃｈ  ｒｅｑｕｅｓｔ）をｅＮＢ２４１へ送信する（ステップＳ３０１）。アタッチ要求信号には、たとえばＵＥ２５１の識別子が含まれる。ＵＥ２５１の識別子は、たとえばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動体加入者識別子）などの識別子である。つぎに、ｅＮＢ２４１が、ステップＳ３０１によって受信したアタッチ要求信号をＭＭＥ２３１へ送信する（ステップＳ３０２）。
【００３８】
つぎに、ＭＭＥ２３１が、ＵＥ２５１の認証を要求する認証要求信号（Ａｕｔｈｅｎｔｉｃａｔｉｏｎ  Ｉｎｆｏｒｍａｔｉｏｎ  Ｒｅｑｕｅｓｔ）をＨＳＳ２２０へ送信する（ステップＳ３０３）。ＵＥ２５１の認証は、たとえばＵＥ２５１が契約等により移動体ネットワーク２０１に接続可能なＵＥであるか否かの判定である。図３に示す例では、ＵＥ２５１が移動体ネットワーク２０１に接続可能なＵＥではなく、ＵＥ２５１の認証が失敗したとする。
【００３９】
つぎに、ＨＳＳ２２０が、ＵＥ２５１の認証に失敗したことを示す認証失敗通知（Ａｕｔｈｅｎｔｉｃａｔｉｏｎ  Ｉｎｆｏｒｍａｔｉｏｎ  Ｆａｉｌｕｒｅ）をＭＭＥ２３１へ送信する（ステップＳ３０４）。また、ＨＳＳ２２０は、ＵＥ２５１の認証に失敗したため、ＵＥ２５１の在圏情報をＢＳＳ２１０へ送信する（ステップＳ３０５）。たとえば、ＨＳＳ２２０は、ＵＥ２５１の在圏情報を含み、その在圏情報をＢＳＳ２１０のデータベース（ＤＢ）に書き込むことを指示する信号をＢＳＳ２１０へ送信する。在圏情報は、ＵＥ２５１の在圏エリアを示す情報であって、たとえばＵＥ２５１の識別子（たとえばＩＭＳＩ）と、ＵＥ２５１が属するＭＭＥ２３１の識別子と、の組み合わせである。つぎに、ＢＳＳ２１０が、ステップＳ３０５によって受信した在圏情報をＢＳＳ２１０のデータベース（ＤＢ）に書き込む（ステップＳ３０６）。
【００４０】
つぎに、ＭＭＥ２３１が、ステップＳ３０４によって認証失敗通知を受信したため、ＵＥ２５１のアタッチが拒否されたことを示すアタッチ拒否信号をｅＮＢ２４１へ送信する（ステップＳ３０７）。つぎに、ｅＮＢ２４１が、ステップＳ３０７によって受信したアタッチ拒否信号をＵＥ２５１へ送信する（ステップＳ３０８）。このアタッチ拒否信号は、ＵＥ２５１に対して、移動体ネットワーク２０１へのアタッチ要求の停止を指示する信号（Ｓｕｓｐｅｎｄ  ａｔｔａｃｈ  ｐｒｏｃｅｄｕｒｅ）である。たとえば、アタッチ拒否信号に、移動体ネットワーク２０１へのアタッチ要求の停止を指示する信号が含まれていてもよい。または、ＵＥ２５１が、アタッチ拒否信号を受信した場合に移動体ネットワーク２０１へのアタッチ要求を停止するように設定されていてもよい。また、アタッチ拒否信号に、ページング状態信号を受信する状態へ移行することを指示する信号が含まれていてもよい。
【００４１】
つぎに、ＵＥ２５１が、移動体ネットワーク２０１のＰＬＭＮ番号をＦＰＬＭＮ番号としてＵＥ２５１のＳＩＭカードに書き込む（ステップＳ３０９）。ＦＰＬＭＮ番号は、ＵＥ２５１のアクセスが禁止されたＰＬＭＮを示すアクセス禁止リストである。これにより、ＵＥ２５１は、移動体ネットワーク２０１へのアタッチ要求、すなわちｅＮＢ２４１へのアタッチ要求信号の送信を停止する。アタッチ要求を停止したＵＥ２５１は、無線送信されたページング信号を受信する状態になる。
【００４２】
（実施の形態にかかる各装置におけるアタッチ要求の停止処理）
図４は、実施の形態にかかる各装置におけるアタッチ要求の停止処理の一例を示すフローチャートである。ＬＴＥ通信システム２００の各装置においては、アタッチ要求の停止処理として、たとえば図４に示す各ステップが実行される。図４に示す例では、たとえば、ＵＥ２５１が移動体ネットワーク２０１に未加入の状態になり、ＵＥ２５１からのアタッチ要求に対してＨＳＳ２２０で認証拒否し、ＵＥ２５１のアタッチ要求を停止させる場合について説明する。
【００４３】
まず、ＵＥ２５１が、アタッチ要求信号を送信する（ステップＳ４０１）。つぎに、ｅＮＢ２４１およびＭＭＥ２３１が、ステップＳ４０１によって送信されたアタッチ要求信号の信号中継を行う（ステップＳ４０２）。たとえば、ｅＮＢ２４１は、ＵＥ２５１から受信したアタッチ要求信号をＭＭＥ２３１へ送信する。ＭＭＥ２３１は、ｅＮＢ２４１から受信したアタッチ要求信号に応じて認証要求信号をＨＳＳ２２０へ送信する。
【００４４】
つぎに、ＨＳＳ２２０が、ＵＥ２５１のユーザが、移動体ネットワーク２０１の加入者か否かを判断する（ステップＳ４０３）。ＵＥ２５１が加入者である場合（ステップＳ４０３：Ｙｅｓ）は、ＨＳＳ２２０は、ＵＥ２５１を移動体ネットワーク２０１に登録（アタッチ）するアタッチ処理を行う（ステップＳ４０４）。たとえば、ＨＳＳ２２０は、ＵＥ２５１の加入者情報をＨＳＳ２２０のデータベースに登録する。そして、ＨＳＳ２２０は、ＵＥ２５１の認証に成功したことを示す認証成功通知をＭＭＥ２３１へ送信する。
【００４５】
つぎに、ｅＮＢ２４１およびＭＭＥ２３１が、ステップＳ４０４によって送信された認証成功通知の信号中継を行い（ステップＳ４０５）、一連の処理を終了する。たとえば、ＭＭＥ２３１は、ＨＳＳ２２０から受信した認証成功通知に応じて、ＵＥ２５１を移動体ネットワーク２０１にアタッチしたことを示すアタッチアクセプト信号（Ａｔｔａｃｈ  ａｃｃｅｐｔ）をｅＮＢ２４１へ送信する。ｅＮＢ２４１は、ＭＭＥ２３１から受信したアタッチアクセプト信号をＵＥ２５１へ送信する。
【００４６】
ステップＳ４０３において、加入者でない場合（ステップＳ４０３：Ｎｏ）は、ＨＳＳ２２０は、ＵＥ２５１のアタッチを拒否する（ステップＳ４０６）。たとえば、ＵＥ２５１の認証に失敗したことを示す認証失敗通知をＭＭＥ２３１へ送信する。また、この場合に、ＨＳＳ２２０は、ＵＥ２５１の在圏情報をＢＳＳ２１０へ送信する（ステップＳ４０７）。これにより、ＢＳＳ２１０に対して、ＢＳＳ２１０のデータベースにＵＥ２５１の在圏情報を書き込むことを指示することができる。
【００４７】
つぎに、ｅＮＢ２４１およびＭＭＥ２３１が、ステップＳ４０６によって送信された認証成功通知の信号中継を行う（ステップＳ４０８）。たとえば、ＭＭＥ２３１は、ＨＳＳ２２０から受信した認証失敗通知に応じて、ＵＥ２５１のアタッチが拒否されたことを示すアタッチ拒否信号をｅＮＢ２４１へ送信する。ｅＮＢ２４１は、ＭＭＥ２３１から受信したアタッチ拒否信号をＵＥ２５１へ送信する。
【００４８】
つぎに、ＵＥ２５１が、ステップＳ４０８によって受信したアタッチ拒否信号に基づいて、移動体ネットワーク２０１のＰＬＭＮ番号をＦＰＬＭＮ番号としてＵＥ２５１のＳＩＭカードに書き込む（ステップＳ４０９）。
【００４９】
つぎに、ＵＥ２５１が、移動体ネットワーク２０１のＰＬＭＮ番号がＦＰＬＭＮ番号としてＳＩＭカードに書き込まれているため、移動体ネットワーク２０１へのアタッチ要求を停止する（ステップＳ４１０）。たとえば、ステップＳ４１０において、ＵＥ２５１は、ｅＮＢ２４１へのアタッチ要求信号の送信を停止する。上述したように、アタッチ拒否信号には、ページング状態信号を受信する状態へ移行することを指示する信号が含まれていてもよい。アタッチ要求を停止したＵＥ２５１は、無線送信されたページング信号を受信する状態になる。
【００５０】
また、ＢＳＳ２１０が、ステップＳ４０７によって受信した在圏情報をＢＳＳ２１０のデータベース（ＤＢ）に書き込む（ステップＳ４１１）。
【００５１】
（実施の形態にかかる通信システムにおけるアタッチ要求の停止処理の他の例）
図５は、実施の形態にかかる通信システムにおけるアタッチ要求の停止処理の他の一例を示すシーケンス図である。ＬＴＥ通信システム２００においては、アタッチ要求の停止処理として、たとえば図５に示す各ステップが実行されてもよい。図５に示す例では、たとえば、ＵＥ２５１が移動体ネットワーク２０１にアタッチした状態において、ＵＥ２５１のデタッチと同時にＵＥ２５１のアタッチ要求を停止させる場合について説明する。
【００５２】
まず、ＢＳＳ２１０が、ＨＳＳ２２０に対して、ＵＥ２５１の在圏を問い合わせる在圏問い合わせを行い、ＵＥ２５１がＭＭＥ２３１の配下のｅＮＢ（たとえばｅＮＢ２４１）に在圏していることを確認する（ステップＳ５０１）。
【００５３】
つぎに、ＢＳＳ２１０が、移動体ネットワーク２０１からＵＥ２５１の登録を削除（デタッチ）することを要求するデタッチ要求信号（Ｄｅｔａｃｈ  ｒｅｑｕｅｓｔ）をＭＭＥ２３１へ送信する（ステップＳ５０２）。また、ＢＳＳ２１０が、ＵＥ２５１のユーザが契約を解除したことを示す契約解除処理信号をＨＳＳ２２０へ送信する（ステップＳ５０３）。また、契約解除処理信号は、ＨＳＳ２２０に対してＵＥ２５１の在圏情報を要求する信号である。たとえば、契約解除処理信号に、ＵＥ２５１の在圏情報を要求する信号が含まれていてもよい。または、ＨＳＳ２２０が、契約解除処理信号を受信した場合にＵＥ２５１の在圏情報をＢＳＳ２１０へ送信するように設定されていてもよい。
【００５４】
つぎに、ＨＳＳ２２０が、ＨＳＳ２２０のデータベース（ＤＢ）からＵＥ２５１の在圏情報を読み出し、読み出した在圏情報をＢＳＳ２１０へ送信する（ステップＳ５０４）。つぎに、ＢＳＳ２１０が、ステップＳ５０４によって受信した在圏情報をＢＳＳ２１０のデータベース（ＤＢ）に書き込む（ステップＳ５０５）。
【００５５】
また、ＭＭＥ２３１が、ステップＳ５０２によって受信したデタッチ要求信号をｅＮＢ２４１へ送信する（ステップＳ５０６）。つぎに、ｅＮＢ２４１が、ステップＳ５０６によって受信したデタッチ要求信号をＵＥ２５１へ送信する（ステップＳ５０７）。これにより、移動体ネットワーク２０１におけるＵＥ２５１のＰＤＮ（Ｐａｃｋｅｔ  Ｄａｔａ  Ｎｅｔｗｏｒｋ：パケットデータネットワーク）が切断される。
【００５６】
つぎに、ＵＥ２５１が、デタッチしたことを示すデタッチアクセプト信号（Ｄｅｔａｃｈ  Ａｃｃｅｐｔ）をｅＮＢ２４１へ送信する（ステップＳ５０８）。つぎに、ｅＮＢ２４１が、ステップＳ５０８によって受信したデタッチアクセプト信号をＭＭＥ２３１へ送信する（ステップＳ５０９）。
【００５７】
つぎに、ＵＥ２５１、ｅＮＢ２４１およびＭＭＥ２３１において、ＵＥ２５１のシグナリングコネクションの解放（Ｓｉｇｎａｌｉｎｇ  Ｃｏｎｎｅｃｔｉｏｎ  Ｒｅｌｅａｓｅ）が行われる（ステップＳ５１０）。また、ＵＥ２５１が、移動体ネットワーク２０１のＰＬＭＮ番号をＦＰＬＭＮ番号としてＵＥ２５１のＳＩＭカードに書き込む（ステップＳ５１１）。これにより、ＵＥ２５１は、移動体ネットワーク２０１へのアタッチ要求、すなわちｅＮＢ２４１へのアタッチ要求信号の送信を停止する。上述したように、デタッチ要求信号には、ページング状態信号を受信する状態へ移行することを指示する信号が含まれていてもよい。アタッチ要求を停止したＵＥ２５１は、無線送信されたページング信号を受信する状態になる。
【００５８】
（実施の形態にかかる各装置における接続要求の停止処理の他の例）
図６は、実施の形態にかかる各装置における接続要求の停止処理の他の一例を示すフローチャートである。ＬＴＥ通信システム２００の各装置においては、アタッチ要求の停止処理として、たとえば図６に示す各ステップが実行されてもよい。図６に示す例では、たとえば、ＵＥ２５１が移動体ネットワーク２０１にアタッチした状態において、ＵＥ２５１のデタッチと同時にＵＥ２５１のアタッチ要求を停止させる場合について説明する。
【００５９】
まず、ＢＳＳ２１０が、ＵＥ２５１のユーザが契約を解除したことを示す契約解除処理信号をＨＳＳ２２０へ送信する（ステップＳ６０１）。また、ＢＳＳ２１０が、ＵＥ２５１についてのデタッチ要求信号をＭＭＥ２３１へ送信する（ステップＳ６０２）。
【００６０】
つぎに、ＨＳＳ２２０が、ステップＳ６０１によって受信した契約解除処理に応じて、ＵＥ２５１の契約解除処理を行い、ＵＥ２５１の在圏情報をＢＳＳ２１０へ送信する（ステップＳ６０３）。契約解除処理は、たとえば、ＨＳＳ２２０のデータベースからＵＥ２５１の登録情報を削除し、またはＨＳＳ２２０のデータベースにおけるＵＥ２５１の登録情報を無効化する処理である。つぎに、ＢＳＳ２１０が、ステップＳ６０３によって受信した在圏情報をＢＳＳ２１０のデータベース（ＤＢ）に書き込む（ステップＳ６０４）。
【００６１】
また、ｅＮＢ２４１およびＭＭＥ２３１が、ステップＳ６０２によって送信されたデタッチ要求信号の信号中継を行う（ステップＳ６０５）。たとえば、ＭＭＥ２３１は、ＢＳＳ２１０から受信したデタッチ要求信号をｅＮＢ２４１へ送信する。ｅＮＢ２４１は、ＭＭＥ２３１から受信したデタッチ要求信号をＵＥ２５１へ送信する。
【００６２】
つぎに、ＵＥ２５１が、移動体ネットワーク２０１のＰＬＭＮ番号をＦＰＬＭＮ番号としてＵＥ２５１のＳＩＭカードに書き込む（ステップＳ６０６）。つぎに、ＵＥ２５１は、移動体ネットワーク２０１のＰＬＭＮ番号をＦＰＬＭＮ番号としてＵＥ２５１のＳＩＭカードに書き込んだため、移動体ネットワーク２０１へのアタッチ要求を停止する（ステップＳ６０７）。上述したように、デタッチ要求信号には、ページング状態信号を受信する状態へ移行することを指示する信号が含まれていてもよい。アタッチ要求を停止したＵＥ２５１は、無線送信されたページング信号を受信する状態になる。
【００６３】
図６に示した各ステップにおいて、ＢＳＳ２１０が、ステップＳ６０１，Ｓ６０２の前に、ＨＳＳ２２０へＵＥ２５１に関する在圏問い合わせを行ってもよい。
【００６４】
（実施の形態にかかる通信システムにおけるアタッチ要求の再開処理）
図７は、実施の形態にかかる通信システムにおけるアタッチ要求の再開処理の一例を示すシーケンス図である。ＬＴＥ通信システム２００においては、アタッチ要求の再開処理として、たとえば図７に示す各ステップが実行される。図７に示す例では、たとえば、図３または図５に示した各ステップによりＵＥ２５１のアタッチ要求が停止した状態において、ＵＥ２５１が契約により移動体ネットワーク２０１に加入した状態になり、ＵＥ２５１のアタッチ要求を再開させる場合について説明する。
【００６５】
まず、ＢＳＳ２１０が、ＵＥ２５１のユーザが契約を行ったことを示す契約処理信号をＨＳＳ２２０へ送信する（ステップＳ７０１）。契約処理信号は、ＵＥ２５１のユーザが新規の契約を行ったことを示す信号であってもよいし、ＵＥ２５１のユーザが解除済みの契約について再契約したことを示す信号（再契約処理信号）であってもよい。ステップＳ７０１により、ＨＳＳ２２０は、ＨＳＳ２２０のデータベースにＵＥ２５１の加入者情報を登録し、ＵＥ２５１からのアタッチ要求があった場合に認証が成功する状態になる。
【００６６】
また、ＢＳＳ２１０が、ＵＥ２５１の在圏情報をＢＳＳ２１０のデータベース（ＤＢ）から読み出す（ステップＳ７０２）。この在圏情報は、たとえば図３に示したステップＳ３０６または図５に示したステップＳ５０５によって書き込まれた在圏情報である。
【００６７】
つぎに、ＢＳＳ２１０が、ステップＳ７０２によって読み出したＵＥ２５１の在圏情報に基づいて、ＵＥ２５１のアタッチ要求を停止した際にＵＥ２５１が属していたＭＭＥ２３１を特定する。そして、ＢＳＳ２１０は、特定したＭＭＥ２３１へ、ＵＥ２５１を呼び出すページングを要求するページング要求信号を送信する（ステップＳ７０３）。ページング要求信号には、たとえばＩＭＳＩなどのＵＥ２５１の識別子が含まれる。
【００６８】
つぎに、ＭＭＥ２３１が、ＵＥ２５１を呼び出すページング信号をｅＮＢ２４１へ送信する（ステップＳ７０４）。ページング信号には、たとえばＩＭＳＩなどのＵＥ２５１の識別子が含まれる。つぎに、ｅＮＢ２４１が、ステップＳ７０４によって受信したページング信号を自セル内に無線送信する（ステップＳ７０５）。ステップＳ７０５によって送信されたページング信号は、アタッチ要求を停止し、ページング信号を受信する状態になっているＵＥ２５１によって受信される。
【００６９】
つぎに、ＵＥ２５１が、移動体ネットワーク２０１からＵＥ２５１を呼び出すページング信号を受信したため、ＵＥ２５１のＳＩＭカードに書き込まれたＦＰＬＭＮ番号のうち移動体ネットワーク２０１のＰＬＭＮ番号を削除する（ステップＳ７０６）。これにより、ＵＥ２５１は、移動体ネットワーク２０１にアタッチしていない状態において、移動体ネットワーク２０１へのアタッチ要求を行う状態になる。
【００７０】
すなわち、つぎに、ＵＥ２５１が、アタッチ要求信号をｅＮＢ２４１へ送信する（ステップＳ７０７）。つぎに、ｅＮＢ２４１が、ステップＳ７０７によって受信したアタッチ要求信号をＭＭＥ２３１へ送信する（ステップＳ７０８）。
【００７１】
つぎに、ＭＭＥ２３１が、ＵＥ２５１の認証を要求する認証要求信号をＨＳＳ２２０へ送信する（ステップＳ７０９）。図７に示す例では、ステップＳ７０１によってＵＥ２５１が移動体ネットワーク２０１に接続可能なＵＥとしてＨＳＳ２２０に登録されており、ＵＥ２５１の認証が成功する。
【００７２】
つぎに、ＨＳＳ２２０が、ＵＥ２５１の認証に成功したことを示す認証成功通知（Ａｕｔｈｅｎｔｉｃａｔｉｏｎ  Ｉｎｆｏｒｍａｔｉｏｎ  Ｒｅｓｐｏｎｓｅ）をＭＭＥ２３１へ送信する（ステップＳ７１０）。つぎに、ＭＭＥ２３１が、ステップＳ７１０によって認証成功通知を受信したため、ＵＥ２５１のアタッチが完了したことを示すアタッチアクセプト信号（Ａｔｔａｃｈ  ａｃｃｅｐｔ）をｅＮＢ２４１へ送信する（ステップＳ７１１）。つぎに、ｅＮＢ２４１が、ステップＳ７１１によって受信したアタッチアクセプト信号をＵＥ２５１へ送信する（ステップＳ７１２）。
【００７３】
（実施の形態にかかる各装置における接続要求の再開処理）
図８は、実施の形態にかかる各装置における接続要求の再開処理の一例を示すフローチャートである。ＬＴＥ通信システム２００においては、アタッチ要求の再開処理として、たとえば図８に示す各ステップが実行される。図８に示す例では、たとえば、図４または図６に示した各ステップによりＵＥ２５１のアタッチ要求が停止した状態において、ＵＥ２５１が契約により移動体ネットワーク２０１に加入した状態になり、ＵＥ２５１のアタッチ要求を再開させる場合について説明する。
【００７４】
まず、ＢＳＳ２１０が、ＵＥ２５１のユーザが契約を行ったことを示す契約処理信号をＨＳＳ２２０へ送信する（ステップＳ８０１）。これにより、ＨＳＳ２２０は、ＨＳＳ２２０のデータベースにＵＥ２５１の加入者情報を登録し、ＵＥ２５１からのアタッチ要求があった場合に認証が成功する状態になる。
【００７５】
また、ＢＳＳ２１０が、ＵＥ２５１の在圏情報をＢＳＳ２１０のデータベース（ＤＢ）から読み出す（ステップＳ８０２）。つぎに、ＢＳＳ２１０が、ステップＳ８０２によって読み出したＵＥ２５１の在圏情報に基づいて、ＵＥ２５１を呼び出すページングを要求するページング要求信号をＭＭＥ２３１へ送信する（ステップＳ８０３）。
【００７６】
つぎに、ＭＭＥ２３１およびｅＮＢ２４１が、ＵＥ２５１を呼び出すページング信号を送信する（ステップＳ８０４）。たとえば、ＭＭＥ２３１が、ステップＳ８０３によってＢＳＳ２１０から受信したページング要求信号に基づくページング信号をｅＮＢ２４１へ送信する。また、ｅＮＢ２４１が、ＭＭＥ２３１から受信したページング信号を自セル内に無線送信する。
【００７７】
つぎに、ＭＭＥ２３１が、ステップＳ８０４によって送信したページング信号に対してＵＥ２５１からの応答があったか否かを判断する（ステップＳ８０５）。応答があった場合（ステップＳ８０５：Ｙｅｓ）は、処理がステップＳ８０６へ移行する。すなわち、ＵＥ２５１が、ＵＥ２５１のＳＩＭカードに書き込まれたＦＰＬＭＮ番号のうち移動体ネットワーク２０１のＰＬＭＮ番号であるＦＰＬＭＮ番号を削除する（ステップＳ８０６）。
【００７８】
つぎに、ＵＥ２５１が、アタッチ要求信号をｅＮＢ２４１へ送信する（ステップＳ８０７）。つぎに、ｅＮＢ２４１およびＭＭＥ２３１が、ステップＳ８０７によって送信されたアタッチ要求信号の信号中継を行う（ステップＳ８０８）。たとえば、ｅＮＢ２４１は、ＵＥ２５１から受信したアタッチ要求信号をＭＭＥ２３１へ送信する。ＭＭＥ２３１は、ｅＮＢ２４１から受信したアタッチ要求信号をＨＳＳ２２０へ送信する。
【００７９】
つぎに、ＨＳＳ２２０が、ＵＥ２５１の認証を行う（ステップＳ８０９）。図８に示す例では、ステップＳ８０１によってＵＥ２５１が移動体ネットワーク２０１に接続可能なＵＥになっており、ＵＥ２５１の認証が成功する。たとえば、ＨＳＳ２２０は、ＵＥ２５１の認証に成功したことを示す認証成功通知をＭＭＥ２３１へ送信する。
【００８０】
つぎに、ｅＮＢ２４１およびＭＭＥ２３１が、ステップＳ８０９によって送信された認証成功通知の信号中継を行う（ステップＳ８１０）。たとえば、ＭＭＥ２３１は、ＨＳＳ２２０から受信した認証成功通知をｅＮＢ２４１へ送信する。ｅＮＢ２４１は、ＭＭＥ２３１から受信した認証成功通知をＵＥ２５１へ送信する。
【００８１】
ステップＳ８０５において、ＵＥ２５１からの応答がなかった場合（ステップＳ８０５：Ｎｏ）は、たとえば、ＭＭＥ２３１が、移動体ネットワーク２０１の他の全ＭＭＥへ、ＵＥ２５１を呼び出すページング信号を送信する（ステップＳ８１１）。これにより、他の全ＭＭＥに属する各ｅＮＢからＵＥ２５１を呼び出すページング信号が無線送信される。そして、他の全ＭＭＥのいずれかにおいてＵＥ２５１からの応答を受信した場合は、そのＭＭＥとそのＭＭＥの配下のｅＮＢを介して、ステップＳ８０６〜Ｓ８１０と同様の処理が行われる。
【００８２】
また、ステップＳ８１１において、ＵＥ２５１からの応答がなかった場合は、ＵＥ２５１が故障やバッテリー切れで使用できない、またはＵＥ２５１が別の場所に移動したと判断し、ＵＥ２５１のアタッチ要求を開始させずに一連の処理を終了してもよい。
【００８３】
（実施の形態にかかるＵＥの状態遷移）
図９は、実施の形態にかかるＵＥの状態遷移の一例を示す図である。ＵＥ２５１は、たとえば図９に示す状態９０１〜９０４に遷移し得る。状態９０１は、ＵＥ２５１の電源がオフ（電源オフ）の状態である。状態９０１からＵＥ２５１の電源がオンになると（電源オン）、ＵＥ２５１は状態９０２へ遷移する。
【００８４】
状態９０２は、ＵＥ２５１が、移動体ネットワーク２０１に未接続であり（ネットワーク未接続）、アタッチ要求を行い（アタッチ要求可）、デタッチ要求を行わず（デタッチ要求不可）、ページング信号を受信しない（ページング信号受信不可）状態である。
【００８５】
ＵＥ２５１は、状態９０２において、アタッチ要求に基づくＨＳＳ２２０での認証に失敗し（アタッチ認証失敗）、アタッチ要求を停止すると（アタッチ要求停止）、状態９０３へ移行する。たとえば、アタッチ認証失敗の際にＵＥ２５１が受信するアタッチ拒否信号には、ページング状態信号を受信する状態へ移行することを指示する信号が含まれていており、ＵＥ２５１は、この信号の指示に基づき状態９０３へ移行する。状態９０３は、ＵＥ２５１が、移動体ネットワーク２０１に未接続であり、アタッチ要求を行わず（アタッチ要求不可）、デタッチ要求を行わず、ページング信号を受信する（ページング信号受信可）状態である。
【００８６】
ＵＥ２５１は、状態９０３において、ＵＥ２５１を呼び出すページング信号を受信し（ページング信号受信）、アタッチ要求を再開すると（アタッチ要求再開）、状態９０２へ移行する。
【００８７】
ＵＥ２５１は、状態９０２において、アタッチ要求に基づくＨＳＳ２２０での認証に成功すると（アタッチ認証成功）、状態９０４へ移行する。状態９０４は、ＵＥ２５１が、移動体ネットワーク２０１に接続済み（ネットワーク接続済）であり、アタッチ要求を行わず、デタッチ要求が可能であり（デタッチ要求可）、ページング信号を受信する状態である。
【００８８】
ＵＥ２５１は、状態９０４において、アタッチ要求の停止の要求を伴うデタッチ要求信号を受信し（デタッチ）、アタッチ要求を停止すると（アタッチ要求停止）、状態９０３へ移行する。また、ＵＥ２５１は、状態９０４において、アタッチ要求の停止の要求を伴わないデタッチ要求信号を受信すると（デタッチ）、状態９０２へ移行する。
【００８９】
（実施の形態にかかるＵＥによる処理）
図１０は、実施の形態にかかるＵＥによる処理の一例を示すフローチャートである。ＵＥ２５１は、移動体ネットワーク２０１に関して、たとえば図１０に示す各ステップを実行する。たとえば、ＵＥ２５１は、電源がオンになると図１０に示す各ステップを開始する。まず、ＵＥ２５１は、ＵＥ２５１のＳＩＭカードのＦＰＬＭＮ番号を読み出す（ステップＳ１００１）。
【００９０】
つぎに、ＵＥ２５１は、ステップＳ１００１によって読み出したＦＰＬＭＮ番号に、移動体ネットワーク２０１のネットワークのＰＬＭＮ番号が含まれるか否かを判断する（ステップＳ１００２）。ＦＰＬＭＮ番号にＰＬＭＮ番号が含まれない場合（ステップＳ１００２：Ｎｏ）は、ＵＥ２５１は、ｅＮＢ２４１を介してＭＭＥ２３１へアタッチ要求信号を送信する（ステップＳ１００３）。
【００９１】
つぎに、ＵＥ２５１は、ステップＳ１００３によって送信したアタッチ要求信号に基づく認証に成功したか否かを判断する（ステップＳ１００４）。たとえば、ＵＥ２５１は、ｅＮＢ２４１を介してＭＭＥ２３１からアタッチアクセプト信号を受信した場合は認証に成功したと判断する。また、ＵＥ２５１は、ｅＮＢ２４１を介してＭＭＥ２３１からアタッチ拒否信号を受信した場合は認証に失敗したと判断する。
【００９２】
ステップＳ１００４において、認証に成功していない場合（ステップＳ１００４：Ｎｏ）は、ＵＥ２５１は、移動体ネットワーク２０１のＰＬＭＮ番号をＦＰＬＭＮ番号としてＳＩＭカードに書き込む（ステップＳ１００５）。つぎに、ＵＥ２５１は、ＵＥ２５１を呼び出すページング信号を受信したか否かを判断し（ステップＳ１００６）、ページング信号を受信するまで待つ（ステップＳ１００６：Ｎｏのループ）。ページング信号を受信するまでの間、ＵＥ２５１は、アタッチ要求信号の送信を行わない。
【００９３】
ステップＳ１００６において、ページング信号を受信すると（ステップＳ１００６：Ｙｅｓ）、ＵＥ２５１は、ＵＥ２５１のＳＩＭカードのＦＰＬＭＮ番号から移動体ネットワーク２０１のＰＬＭＮ番号を削除する（ステップＳ１００７）。そして、ＵＥ２５１は、ステップＳ１００１へ戻る。
【００９４】
ステップＳ１００２において、ＦＰＬＭＮ番号にＰＬＭＮ番号が含まれる場合（ステップＳ１００２：Ｙｅｓ）は、ＵＥ２５１は、ステップＳ１００６へ移行する。
【００９５】
ステップＳ１００４において、認証に成功した場合（ステップＳ１００４：Ｙｅｓ）は、ＵＥ２５１は、移動体ネットワーク２０１への接続を行うネットワーク接続処理を行う（ステップＳ１００８）。これにより、ＵＥ２５１は、移動体ネットワーク２０１によるデータ通信が可能になる。
【００９６】
つぎに、ＵＥ２５１は、ｅＮＢ２４１を介してＭＭＥ２３１からデタッチ要求信号を受信したか否かを判断し（ステップＳ１００９）、デタッチ要求信号を受信するまで待つ（ステップＳ１００９：Ｎｏのループ）。デタッチ要求信号を受信すると（ステップＳ１００９：Ｙｅｓ）、ＵＥ２５１は、移動体ネットワーク２０１からの切断を行うネットワーク切断処理を行い（ステップＳ１０１０）、ステップＳ１００５へ移行する。
【００９７】
（実施の形態にかかるＨＳＳによる処理）
図１１は、実施の形態にかかるＨＳＳによる処理の一例を示すフローチャートである。実施の形態にかかるＨＳＳ２２０は、ＵＥ２５１について、たとえば図１１に示す各ステップを実行する。まず、ＨＳＳ２２０は、ＵＥ２５１の認証を要求する認証要求信号をＭＭＥ２３１から受信したか否かを判断する（ステップＳ１１０１）。
【００９８】
ステップＳ１１０１において、認証要求信号を受信した場合（ステップＳ１１０１：Ｙｅｓ）は、ＨＳＳ２２０は、ＵＥ２５１が移動体ネットワーク２０１の加入者のＵＥか否かを判断する（ステップＳ１１０２）。ステップＳ１１０２の判断は、ＨＳＳ２２０の加入者のデータベースに基づいて行うことができる。
【００９９】
ステップＳ１１０２において、ＵＥ２５１が加入者のＵＥである場合（ステップＳ１１０２：Ｙｅｓ）は、ＨＳＳ２２０は、認証成功通知をＭＭＥ２３１へ送信し（ステップＳ１１０３）、ステップＳ１１０１へ戻る。ＵＥ２５１が加入者のＵＥでない場合（ステップＳ１１０２：Ｎｏ）は、ＨＳＳ２２０は、認証失敗通知をＭＭＥ２３１へ送信する（ステップＳ１１０４）。また、ＨＳＳ２２０は、ＵＥ２５１の在圏情報をＢＳＳ２１０へ送信し（ステップＳ１１０５）、ステップＳ１１０１へ戻る。
【０１００】
ステップＳ１１０１において、認証要求信号を受信していない場合（ステップＳ１１０１：Ｎｏ）は、ＨＳＳ２２０は、ＵＥ２５１の契約解除処理信号をＢＳＳ２１０から受信したか否かを判断する（ステップＳ１１０６）。契約解除処理信号を受信していない場合（ステップＳ１１０６：Ｎｏ）は、ＨＳＳ２２０は、ステップＳ１１０１へ戻る。
【０１０１】
ステップＳ１１０６において、契約解除処理信号を受信した場合（ステップＳ１１０６：Ｙｅｓ）は、ＨＳＳ２２０は、ＵＥ２５１の加入者情報をＨＳＳ２２０のデータベースから削除する（ステップＳ１１０７）。また、ＨＳＳ２２０は、ＵＥ２５１の在圏情報をＢＳＳ２１０へ送信する（ステップＳ１１０８）。
【０１０２】
つぎに、ＨＳＳ２２０は、ＵＥ２５１のユーザが再契約したことを示すＵＥ２５１の再契約処理信号をＢＳＳ２１０から受信したか否かを判断し（ステップＳ１１０９）、再契約処理信号を受信するまで待つ（ステップＳ１１０９：Ｎｏのループ）。再契約処理信号を受信すると（ステップＳ１１０９：Ｙｅｓ）、ＨＳＳ２２０は、ＵＥ２５１の加入者情報をＨＳＳ２２０のデータベースに登録し（ステップＳ１１１０）、ステップＳ１１０１へ戻る。
【０１０３】
（実施の形態にかかるＢＳＳによる処理）
図１２は、実施の形態にかかるＢＳＳによる処理の一例を示すフローチャートである。実施の形態にかかるＢＳＳ２１０は、ＵＥ２５１について、たとえば図１２に示す各ステップを実行する。まず、ＢＳＳ２１０は、ＵＥ２５１の契約解除指示を受け付けたか否かを判断し（ステップＳ１２０１）、契約解除指示を受け付けるまで待つ（ステップＳ１２０１：Ｎｏのループ）。契約解除指示は、たとえばＢＳＳ２１０を操作するオペレータによってＢＳＳ２１０に対して入力される。
【０１０４】
ステップＳ１２０１において、契約解除指示を受け付けると（ステップＳ１２０１：Ｙｅｓ）、ＢＳＳ２１０は、ＵＥ２５１の契約解除処理信号をＨＳＳ２２０へ送信する（ステップＳ１２０２）。つぎに、ＢＳＳ２１０は、ＵＥ２５１の在圏情報をＨＳＳ２２０から受信したか否かを判断し（ステップＳ１２０３）、在圏情報を受信するまで待つ（ステップＳ１２０３：Ｎｏのループ）。
【０１０５】
ステップＳ１２０３において、在圏情報を受信すると（ステップＳ１２０３：Ｙｅｓ）、ＢＳＳ２１０は、受信した在圏情報をＢＳＳ２１０のデータベース（ＤＢ）に書き込む（ステップＳ１２０４）。また、ＢＳＳ２１０は、ＵＥ２５１のデタッチ要求信号を、ＭＭＥ２３１、ｅＮＢ２４１を介してＵＥ２５１へ送信する（ステップＳ１２０５）。
【０１０６】
つぎに、ＢＳＳ２１０は、ＵＥ２５１の再契約指示を受け付けたか否かを判断し（ステップＳ１２０６）、再契約指示を受け付けるまで待つ（ステップＳ１２０６：Ｎｏのループ）。再契約指示は、たとえばＢＳＳ２１０を操作するオペレータによってＢＳＳ２１０に対して入力される。再契約指示を受け付けると（ステップＳ１２０６：Ｙｅｓ）、ＢＳＳ２１０は、受け付けた再契約指示が示すＵＥ２５１の再契約先が同一事業者、すなわち移動体ネットワーク２０１であるか否かを判断する（ステップＳ１２０７）。
【０１０７】
ステップＳ１２０７において、再契約先が同一事業者である場合（ステップＳ１２０７：Ｙｅｓ）は、ＢＳＳ２１０は、ＵＥ２５１を呼び出すページング信号を、ＭＭＥ２３１、ｅＮＢ２４１を介して送信し（ステップＳ１２０８）、ステップＳ１２０１へ戻る。
【０１０８】
ステップＳ１２０７において、再契約先が同一事業者でない場合（ステップＳ１２０７：Ｎｏ）は、ＢＳＳ２１０は、ステップＳ１２０９へ移行する。すなわち、ＢＳＳ２１０は、ＵＥ２５１の在圏情報を、受け付けた再契約指示が示すＵＥ２５１の再契約先の他事業者のＢＳＳへ送信し（ステップＳ１２０９）、一連の処理を終了する。他事業者とは、たとえば、ＢＳＳ２１０の事業者と同じＭＮＯを利用するＭＶＮＯである。ＭＮＯはＭｏｂｉｌｅ  Ｎｅｔｗｏｒｋ  Ｏｐｅｒａｔｏｒ（移動体通信事業者）の略である。ＭＶＮＯはＭｏｂｉｌｅ  Ｖｉｒｔｕａｌ  Ｎｅｔｗｏｒｋ  Ｏｐｅｒａｔｏｒ（仮想移動体通信事業者）の略である。
【０１０９】
この場合は、ＵＥ２５１の再契約先の他事業者のＢＳＳからの制御により、ＵＥ２５１を呼び出すページング信号が送信される。ＵＥ２５１は、送信されたページング信号に応じて、移動体ネットワーク２０１へのアタッチ要求を開始する。契約先の事業者が変更された場合のアタッチ要求の再開については後述する（たとえば図１７参照。）。
【０１１０】
（実施の形態にかかる各装置）
図１３は、実施の形態にかかる各装置の一例を示す図である。図１３において、ＢＳＳ２１０、ＨＳＳ２２０およびＵＥ２５１の構成について説明する。図１３に示すように、ＢＳＳ２１０は、処理部１３１１と、対ＨＳＳ通信部１３１２と、対ＭＭＥ通信部１３１３と、データベース１３１４（ＤＢ）と、を備える。処理部１３１１は、ＢＳＳ２１０における各処理を行う処理部である。対ＨＳＳ通信部１３１２は、ＨＳＳ２２０との間で通信が可能な通信部である。対ＭＭＥ通信部１３１３は、ＭＭＥ２３１との間で通信が可能な通信部である。データベース１３１４は、アタッチ要求を停止したＵＥ（たとえばＵＥ２５１）の在圏情報を格納するデータベースである。
【０１１１】
図１に示した通信制御装置１１０の保持部１１１は、たとえばデータベース１３１４により実現することができる。図１に示した通信制御装置１１０の制御部１１２は、たとえば処理部１３１１および対ＭＭＥ通信部１３１３により実現することができる。
【０１１２】
ＨＳＳ２２０は、処理部１３２１と、対ＢＳＳ通信部１３２２と、対ＭＭＥ通信部１３２３と、データベース１３２４（ＤＢ）と、を備える。処理部１３２１は、ＨＳＳ２２０における各処理を行う処理部である。対ＢＳＳ通信部１３２２は、ＢＳＳ２１０との間で通信が可能な通信部である。対ＭＭＥ通信部１３２３は、ＭＭＥ２３１との間で通信が可能な通信部である。データベース１３２４は、移動体ネットワーク２０１に加入している各ユーザのＵＥを示す加入者情報を格納するデータベースである。
【０１１３】
ＵＥ２５１は、処理部１３３１と、対ｅＮＢ通信部１３３２と、ＳＩＭカード１３３３と、を備える。処理部１３３１は、ＵＥ２５１における各処理を行う処理部である。対ｅＮＢ通信部１３３２は、ｅＮＢ２４１との間で通信が可能な通信部である。ＳＩＭカード１３３３は、ＵＥ２５１の加入者情報等を記憶する不揮発性メモリである。また、ＳＩＭカード１３３３には、ＦＰＬＭＮ番号１３３４が記憶される。
【０１１４】
図３に示した処理における信号の流れについて説明する。たとえば、ＵＥ２５１の処理部１３３１は、ＳＩＭカード１３３３を参照する。そして、処理部１３３１は、移動体ネットワーク２０１のＰＬＭＮ番号がＦＰＬＭＮ番号１３３４に含まれない場合に移動体ネットワーク２０１へのアタッチ要求信号を、対ｅＮＢ通信部１３３２を介してｅＮＢ２４１へ送信する。
【０１１５】
ｅＮＢ２４１は、ＵＥ２５１から送信されたアタッチ要求信号をＭＭＥ２３１へ送信する。ＭＭＥ２３１は、ｅＮＢ２４１から送信されたアタッチ要求信号に基づいてＵＥ２５１の認証要求信号をＨＳＳ２２０へ送信する。
【０１１６】
ＨＳＳ２２０の処理部１３２１は、ＭＭＥ２３１から送信されたＵＥ２５１の認証要求信号を、対ＭＭＥ通信部１３２３を介して受信する。そして、処理部１３２１は、受信した認証要求信号に応じて、データベース１３２４の加入者情報に基づいてＵＥ２５１の認証を行う。
【０１１７】
また、処理部１３２１は、ＵＥ２５１の認証結果を、対ＭＭＥ通信部１３２３を介してＭＭＥ２３１へ送信する。この例ではＵＥ２５１の認証が失敗したとする。この場合に、処理部１３２１はＵＥ２５１の認証結果として認証失敗通知をＭＭＥ２３１へ送信する。また、処理部１３２１は、ＵＥ２５１の現在の在圏情報を、対ＢＳＳ通信部１３２２を介してＢＳＳ２１０へ送信する。
【０１１８】
ＭＭＥ２３１は、ＨＳＳ２２０から送信された認証失敗通知に応じて、上述したアタッチ拒否信号をｅＮＢ２４１へ送信する。ｅＮＢ２４１は、ＭＭＥ２３１から送信されたアタッチ拒否信号をＵＥ２５１へ送信する。
【０１１９】
ＵＥ２５１の処理部１３３１は、ｅＮＢ２４１から送信されたアタッチ拒否信号を、対ｅＮＢ通信部１３３２を介して受信する。そして、処理部１３３１は、アタッチ拒否信号を受信すると、移動体ネットワーク２０１のＰＬＭＮ番号をＦＰＬＭＮ番号としてＳＩＭカード１３３３に書き込む。これにより、処理部１３３１は、移動体ネットワーク２０１へのアタッチ要求信号の送信を停止する。上述したように、たとえば、アタッチ拒否信号には、ページング状態信号を受信する状態へ移行することを指示する信号が含まれている。この場合に、処理部１３３１は、対ｅＮＢ通信部１３３２を介してページング信号を受信する状態になる。
【０１２０】
ＢＳＳ２１０の処理部１３１１は、ＨＳＳ２２０から送信されたＵＥ２５１の在圏情報を、対ＨＳＳ通信部１３１２を介して受信する。そして、処理部１３１１は、受信したＵＥ２５１の在圏情報をデータベース１３１４に書き込む。
【０１２１】
つぎに、図５に示した処理における信号の流れについて説明する。ＢＳＳ２１０の処理部１３１１は、契約解除指示が入力されると、対ＨＳＳ通信部１３１２を介してＨＳＳ２２０にＵＥ２５１の在圏を問い合わせる在圏問い合わせを行う。また、処理部１３１１は、ＵＥ２５１のデタッチ要求信号を、対ＭＭＥ通信部１３１３を介してＭＭＥ２３１へ送信する。また、処理部１３１１は、ＵＥ２５１の契約解除処理信号を、対ＨＳＳ通信部１３１２を介してＨＳＳ２２０へ送信する。
【０１２２】
ＨＳＳ２２０の処理部１３２１は、ＢＳＳ２１０から送信された契約解除処理信号を、対ＢＳＳ通信部１３２２を介して受信する。そして、処理部１３２１は、契約解除処理信号を受信すると、データベース１３２４からＵＥ２５１の在圏情報を読み出し、読み出した在圏情報を、対ＢＳＳ通信部１３２２を介してＢＳＳ２１０へ送信する。
【０１２３】
ＢＳＳ２１０の処理部１３１１は、ＨＳＳ２２０から送信されたＵＥ２５１の在圏情報を、対ＨＳＳ通信部１３１２を介して受信する。そして、処理部１３１１は、受信したＵＥ２５１の在圏情報をデータベース１３１４に書き込む。
【０１２４】
ＭＭＥ２３１はＢＳＳ２１０から送信されたデタッチ要求信号をｅＮＢ２４１へ送信する。ｅＮＢ２４１は、ＭＭＥ２３１から送信されたデタッチ要求信号をＵＥ２５１へ送信する。
【０１２５】
ＵＥ２５１の処理部１３３１は、ｅＮＢ２４１から送信されたデタッチ要求信号を、対ｅＮＢ通信部１３３２を介して受信する。そして、処理部１３３１は、デタッチ要求信号を受信すると、デタッチアクセプト信号を、対ｅＮＢ通信部１３３２を介してｅＮＢ２４１へ送信する。ｅＮＢ２４１は、ＵＥ２５１から送信されたデタッチアクセプト信号をＭＭＥ２３１へ送信する。
【０１２６】
また、ＵＥ２５１の処理部１３３１は、移動体ネットワーク２０１のＰＬＭＮ番号をＦＰＬＭＮ番号としてＳＩＭカード１３３３に書き込む。これにより、処理部１３３１は、移動体ネットワーク２０１へのアタッチ要求信号の送信を停止する。また、処理部１３３１は、対ｅＮＢ通信部１３３２を介してページング信号を受信する状態になる。
【０１２７】
つぎに、図７に示した処理における信号の流れについて説明する。ＢＳＳ２１０の処理部１３１１は、たとえば再契約指示が入力されると、ＵＥ２５１の契約処理信号を、対ＨＳＳ通信部１３１２を介してＨＳＳ２２０へ送信する。
【０１２８】
ＨＳＳ２２０の処理部１３２１は、ＢＳＳ２１０から送信された契約処理信号を、対ＢＳＳ通信部１３２２を介して受信する。そして、処理部１３２１は、受信した契約処理信号に基づいて、ＵＥ２５１の加入者情報をデータベース１３２４に登録する。
【０１２９】
また、ＢＳＳ２１０の処理部１３１１は、ＵＥ２５１の在圏情報をデータベース１３１４から読み出す。また、処理部１３１１は、読み出したＵＥ２５１の在圏情報に基づいて、ＵＥ２５１のアタッチ要求を停止した際にＵＥ２５１が属していたＭＭＥ２３１を特定する。そして、処理部１３１１は、特定したＭＭＥ２３１へ、ＵＥ２５１を呼び出すページングを要求するページング要求信号を、対ＭＭＥ通信部１３１３を介して送信する。
【０１３０】
ＭＭＥ２３１は、ＢＳＳ２１０から送信されたページング要求信号に基づいて、ＵＥ２５１を呼び出すページング信号をｅＮＢ２４１へ送信する。ｅＮＢ２４１は、ＭＭＥ２３１から送信されたページング信号を自セル内に無線送信する。
【０１３１】
ＵＥ２５１の処理部１３３１は、ｅＮＢ２４１から無線送信されたページング信号を、対ｅＮＢ通信部１３３２を介して受信する。そして、処理部１３３１は、移動体ネットワーク２０１からＵＥ２５１を呼び出すページング信号を受信したため、ＳＩＭカード１３３３に書き込まれたＦＰＬＭＮ番号のうち移動体ネットワーク２０１のＰＬＭＮ番号を削除する。これにより、処理部１３３１は、移動体ネットワーク２０１へのアタッチ要求信号を、対ｅＮＢ通信部１３３２を介してｅＮＢ２４１へ送信する状態になる。
【０１３２】
ｅＮＢ２４１は、ＵＥ２５１から送信されたアタッチ要求信号をＭＭＥ２３１へ送信する。ＭＭＥ２３１は、ｅＮＢ２４１から送信されたアタッチ要求信号に基づいてＵＥ２５１の認証要求信号をＨＳＳ２２０へ送信する。
【０１３３】
ＨＳＳ２２０の処理部１３２１は、ＭＭＥ２３１から送信されたＵＥ２５１の認証要求信号を、対ＭＭＥ通信部１３２３を介して受信する。そして、処理部１３２１は、受信した認証要求信号に応じて、データベース１３２４の加入者情報に基づいてＵＥ２５１の認証を行う。この例ではＵＥ２５１の認証が成功したとする。この場合に、処理部１３２１はＵＥ２５１の認証結果として認証成功通知をＭＭＥ２３１へ送信する。この場合は、処理部１３２１は、ＵＥ２５１の現在の在圏情報をＢＳＳ２１０へ送信しなくてよい。
【０１３４】
ＭＭＥ２３１は、ＨＳＳ２２０から送信された認証成功通知に応じて、上述したアタッチアクセプト信号をｅＮＢ２４１へ送信する。ｅＮＢ２４１は、ＭＭＥ２３１から送信されたアタッチアクセプト信号をＵＥ２５１へ送信する。
【０１３５】
ＵＥ２５１の処理部１３３１は、ｅＮＢ２４１から送信されたアタッチアクセプト信号を、対ｅＮＢ通信部１３３２を介して受信する。そして、処理部１３３１は、アタッチアクセプト信号を受信すると、対ｅＮＢ通信部１３３２を用いた移動体ネットワーク２０１によるデータ通信を開始する。
【０１３６】
（実施の形態にかかるＢＳＳおよびＨＳＳのハードウェア構成）
図１４は、実施の形態にかかるＢＳＳおよびＨＳＳのハードウェア構成の一例を示す図である。図１３に示したＢＳＳ２１０およびＨＳＳ２２０のそれぞれは、たとえば図１４に示す情報処理装置１４００によって実現することができる。情報処理装置１４００は、プロセッサ１４０１と、メモリ１４０２と、通信インタフェース１４０３と、を備える。また、情報処理装置１４００はさらにユーザインタフェース１４０４を備えてもよい。プロセッサ１４０１、メモリ１４０２、通信インタフェース１４０３およびユーザインタフェース１４０４は、たとえばバス１４０９によって接続される。
【０１３７】
プロセッサ１４０１は、信号処理を行う回路であり、たとえば情報処理装置１４００の全体の制御を司るＣＰＵ（Ｃｅｎｔｒａｌ  Ｐｒｏｃｅｓｓｉｎｇ  Ｕｎｉｔ）である。メモリ１４０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、プロセッサ１４０１のワークエリアとして使用される。補助メモリは、たとえば磁気ディスク、光ディスク、フラッシュメモリなどの不揮発メモリである。補助メモリには、情報処理装置１４００を動作させる各種のプログラムが記憶されている。補助メモリに記憶されたプログラムは、メインメモリにロードされてプロセッサ１４０１によって実行される。
【０１３８】
また、プロセッサ１４０１やメモリ１４０２は、ＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｔａｌ  Ｓｉｇｎａｌ  Ｐｒｏｃｅｓｓｏｒ）などのデジタル回路によって実現されてもよい。
【０１３９】
通信インタフェース１４０３は、たとえば有線によって情報処理装置１４００の外部との間で通信を行う通信インタフェースである。通信インタフェース１４０３は、プロセッサ１４０１によって制御される。
【０１４０】
ユーザインタフェース１４０４は、たとえば、ＢＳＳ２１０またはＨＳＳ２２０のユーザ（たとえばオペレータ）からの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース１４０４は、プロセッサ１４０１によって制御される。
【０１４１】
図１３に示したＢＳＳ２１０の処理部１３１１は、たとえばプロセッサ１４０１およびメモリ１４０２によって実現することができる。図１３に示したＢＳＳ２１０の対ＨＳＳ通信部１３１２および対ＭＭＥ通信部１３１３は、たとえば通信インタフェース１４０３によって実現することができる。図１３に示したＢＳＳ２１０のデータベース１３１４は、たとえばメモリ１４０２によって実現することができる。
【０１４２】
図１３に示したＨＳＳ２２０の処理部１３２１は、たとえばプロセッサ１４０１およびメモリ１４０２によって実現することができる。図１３に示したＨＳＳ２２０の対ＢＳＳ通信部１３２２および対ＭＭＥ通信部１３２３は、たとえばプロセッサ１４０１が通信インタフェース１４０３を制御することによって実現することができる。図１３に示したＨＳＳ２２０のデータベース１３２４は、たとえばメモリ１４０２によって実現することができる。
【０１４３】
図１５は、実施の形態にかかるＵＥのハードウェア構成の一例を示す図である。図１３に示したＵＥ２５１は、たとえば図１５に示す情報処理装置１５００によって実現することができる。情報処理装置１５００は、プロセッサ１５０１と、メモリ１５０２と、ユーザインタフェース１５０３と、無線通信インタフェース１５０４と、ＳＩＭカード１５０５と、を備える。プロセッサ１５０１、メモリ１５０２、ユーザインタフェース１５０３、無線通信インタフェース１５０４およびＳＩＭカード１５０５は、たとえばバス１５０９によって接続される。
【０１４４】
プロセッサ１５０１は、信号処理を行う回路であり、たとえば情報処理装置１５００の全体の制御を司るＣＰＵである。メモリ１５０２には、たとえばメインメモリおよび補助メモリが含まれる。メインメモリは、たとえばＲＡＭである。メインメモリは、プロセッサ１５０１のワークエリアとして使用される。補助メモリは、たとえば磁気ディスク、フラッシュメモリなどの不揮発メモリである。補助メモリには、情報処理装置１５００を動作させる各種のプログラムが記憶されている。補助メモリに記憶されたプログラムは、メインメモリにロードされてプロセッサ１５０１によって実行される。また、プロセッサ１５０１やメモリ１５０２は、ＦＰＧＡやＤＳＰなどのデジタル回路によって実現されてもよい。
【０１４５】
ユーザインタフェース１５０３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース１５０３は、プロセッサ１５０１によって制御される。
【０１４６】
無線通信インタフェース１５０４は、無線によって情報処理装置１５００の外部（たとえばｅＮＢ２４１）との間で通信を行う通信インタフェースである。無線通信インタフェース１５０４は、プロセッサ１５０１によって制御される。ＳＩＭカード１５０５は、情報処理装置１５００の加入者情報等を記憶する不揮発性メモリである。たとえば、ＳＩＭカード１５０５は、情報処理装置１５００に対して挿抜可能（リムーバブル）なＳＩＭである。
【０１４７】
図１３に示したＵＥ２５１の処理部１３３１は、たとえばプロセッサ１５０１およびメモリ１５０２によって実現することができる。図１３に示したＵＥ２５１の対ｅＮＢ通信部１３３２は、たとえばプロセッサ１５０１が無線通信インタフェース１５０４を制御することによって実現することができる。図１３に示したＵＥ２５１のＳＩＭカード１３３３は、たとえばＳＩＭカード１５０５によって実現することができる。
【０１４８】
（実施の形態にかかる在圏情報）
図１６は、実施の形態にかかる在圏情報の一例を示す図である。たとえばＵＥ２５１のアタッチ要求を停止させる場合に、ＨＳＳ２２０は、ＵＥ２５１の在圏情報として、たとえば図１６に示す在圏情報１６００をＢＳＳ２１０へ送信する。在圏情報１６００は、ＵＥ識別情報と、ＭＭＥ識別情報と、の組み合わせである。
【０１４９】
ＵＥ識別情報は、ＵＥ２５１の識別子（ＵＥ＃１）であり、たとえばＵＥ２５１のＩＭＳＩである。ＭＭＥ識別情報は、アタッチ要求を停止させる際にＵＥ２５１が属していたＭＭＥ２３１の識別子（ＭＭＥ＃１）である。
【０１５０】
ＢＳＳ２１０は、在圏情報１６００をデータベース１３１４に格納しておく。そして、ＢＳＳ２１０は、ＵＥ２５１のアタッチ要求を再開させる場合に、在圏情報１６００においてＵＥ２５１の識別子（＃１）と対応付けられたＭＭＥ２３１の識別子（ＭＭＥ＃１）に基づいて、ＵＥ２５１を呼び出すページングをＭＭＥ２３１に要求する。
【０１５１】
（実施の形態にかかる通信システムにおけるアタッチ要求の再開処理の他の例）
図１７は、実施の形態にかかる通信システムにおけるアタッチ要求の再開処理の他の一例を示すシーケンス図である。ＬＴＥ通信システム２００においては、アタッチ要求の再開処理として、たとえば図１７に示す各ステップが実行されてもよい。図１７に示す例では、たとえば図７に示した例のようにＵＥ２５１のアタッチ要求を再開させる場合について説明する。
【０１５２】
ただし、図１７に示す例では、ＵＥ２５１のユーザがＢＳＳ２１０の事業者と異なる事業者（以下、「他事業者」と称する。）と契約することにより、ＵＥ２５１が再度、移動体ネットワーク２０１に加入した状態となったとする。他事業者は、たとえば、ＢＳＳ２１０の事業者と同じＭＮＯを利用するＭＶＮＯである。図１７に示すＢＳＳ１７１０は、ＵＥ２５１のユーザが新たに契約した他事業者のＢＳＳである。ＢＳＳ１７１０の構成は、たとえば図１３に示したＢＳＳ２１０の構成と同様である。たとえば、ＢＳＳ２１０は、ＢＳＳ１７１０へ、ＵＥ２５１の識別子（ＩＭＳＩ）などのＵＥ２５１に関する情報を送信する。
【０１５３】
まず、ＢＳＳ１７１０が、ＵＥ２５１のユーザが契約（再契約）を行ったことを示す契約処理信号をＨＳＳ２２０へ送信する（ステップＳ１７０１）。ステップＳ１７０１により、ＨＳＳ２２０は、ＨＳＳ２２０のデータベースにＵＥ２５１の加入者情報を再登録し、ＵＥ２５１からのアタッチ要求があった場合に認証が成功する状態になる。
【０１５４】
また、ＢＳＳ１７１０が、ＵＥ２５１の在圏情報をＢＳＳ２１０から受信する（ステップＳ１７０２）。ステップＳ１７０２は、たとえば図１２に示したステップＳ１２０６，Ｓ１２０７，Ｓ１２０９によって実現される。たとえば、ＢＳＳ２１０は、ＵＥ２５１の他事業者との再契約を指示する再契約指示を受け付けると、ＢＳＳ２１０のデータベースからＵＥ２５１の在圏情報を読み出す。この在圏情報は、たとえば図３に示したステップＳ３０６または図５に示したステップＳ５０５によって書き込まれた在圏情報である。そして、ＢＳＳ２１０は、読み出した在圏情報をＢＳＳ１７１０へ送信する。ＢＳＳ２１０からＢＳＳ１７１０への在圏情報の送信には、たとえばインターネットなどの各種のネットワークを用いることができる。
【０１５５】
つぎに、ＢＳＳ１７１０が、ステップＳ１７０２によって受信したＵＥ２５１の在圏情報に基づいて、ＵＥ２５１のアタッチ要求を停止した際にＵＥ２５１が属していたＭＭＥ２３１を特定する。そして、ＢＳＳ２１０は、特定したＭＭＥ２３１へ、ＵＥ２５１を呼び出すページングを要求するページング要求信号を送信する（ステップＳ１７０３）。図１７に示すステップＳ１７０４〜Ｓ１７１２は、図７に示したステップＳ７０４〜Ｓ７１２と同様である。
【０１５６】
なお、ＵＥ２５１が加入する事業者の変更に伴うＵＥ２５１の設定変更を要する場合は、ステップＳ１７０３〜Ｓ１７０５によってＵＥ２５１へ送信されるページング信号やその他のＢＳＳ１７１０からの制御信号によってその設定変更を行ってもよい。設定変更の一例としては、音声用通信と通信用通信の切り替えなどがある。ＵＥ２５１は、ＢＳＳ１７１０からの制御信号に従ってＵＥ２５１のＳＩＭカードの設定ファイルを書き換える。
【０１５７】
このように、実施の形態にかかる通信制御装置１１０によれば、端末によるネットワークへの接続要求を停止させる制御を行った際の端末の在圏情報を保持しておくことができる。そして、端末に接続要求を再開させる制御信号（たとえば着呼信号）を、保持した在圏情報に応じた制御信号処理装置（たとえば呼制御装置）から送信させることができる。これにより、ネットワークへの接続要求を停止させた端末について、リソースの消費を抑制しつつネットワークへの接続要求を再開させることができる。
【０１５８】
また、通信制御装置１１０によれば、保持した在圏情報を他の通信制御装置へ送信することにより、在圏情報に応じた制御信号処理装置から制御信号を送信させる制御をその他の通信制御装置に実行させることができる。これにより、たとえば端末のユーザが契約する事業者が変わることによって通信制御装置が変更されても、ネットワークへの接続要求を停止させた端末について、リソースの消費を抑制しつつネットワークへの接続要求を再開させることができる。
【０１５９】
以上説明したように、通信制御装置、通信システム、通信制御プログラムおよび通信制御方法によれば、ネットワークへの接続要求を停止させた端末について、リソースの消費を抑制しつつネットワークへの接続要求を再開させることができる。
【０１６０】
たとえば、将来、以下のようなケースが増加すると予想される。
＜１＞ＳＩＭカードが組み込まれた低価格のセンサノードが普及し、センサノードからＳＩＭカードが簡単に取り外せないケース。
＜２＞不要になったセンサノードが、電源オフできず放置されるケース。
＜３＞一度停止させたセンサノードを、事業者を変えて再契約して再利用するケース。
【０１６１】
なお、たとえばｅＳＩＭにおいては、キャリア回線とは別にＳＩＭベンダとの通信路があり、ネットワーク側から遠隔でＳＩＭ内容の書き換えを行うことが可能であるが、上述した実施の形態におけるＳＩＭはたとえばリムーバブルＳＩＭである。ｅＳＩＭはＥｍｂｅｄｄｅｄ  Ｓｕｂｓｃｒｉｂｅｒ  Ｉｄｅｎｔｉｔｙ  Ｍｏｄｕｌｅ（組み込み用ＳＩＭ）の略である。
【０１６２】
これらのケースに対して、たとえばＳＩＭカードのＦＰＬＭＮへの書き込みを行うことでアタッチ要求を停止する技術を用いることが考えられる。しかしながら、この技術のみでは、一度停止させたセンサノードを再契約等により再利用するまでの一連の操作をネットワーク側のみで達成することができない。
【０１６３】
これに対して、上述した実施の形態によれば、アタッチ要求を停止したときのＵＥの在圏情報を保持しておき、アタッチ要求を停止しているＵＥに対して、その在圏情報を使ってネットワーク側からページングを行うことでアタッチ要求を再開させることができる。これにより、たとえばＵＥがセンサノードなどのモビリティがないＵＥや移動が少ないＵＥであれば、ネットワーク側（たとえばＢＳＳ）からＵＥのアタッチ要求の停止および再開の制御が可能になる。
【０１６４】
なお、本実施の形態で説明した通信制御方法は、たとえば、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。ＣＤ−ＲＯＭはＣｏｍｐａｃｔ  Ｄｉｓｃ−Ｒｅａｄ  Ｏｎｌｙ  Ｍｅｍｏｒｙの略である。ＭＯはＭａｇｎｅｔｏ  Ｏｐｔｉｃａｌ  ｄｉｓｋの略である。ＤＶＤはＤｉｇｉｔａｌ  Ｖｅｒｓａｔｉｌｅ  Ｄｉｓｃの略である。またこのプログラムは、インターネット等のネットワークを介して配布されてもよい。
【０１６５】
上述した実施の形態に関し、さらに以下の付記を開示する。
【０１６６】
（付記１）端末によるネットワークへの接続要求を停止させる制御を行った際の前記端末の在圏情報を保持する保持部と、
前記端末に前記接続要求を再開させる制御信号を、前記保持部によって保持された前記在圏情報に応じた制御信号処理装置から送信させる制御を行う制御部と、
を備えることを特徴とする通信制御装置。
【０１６７】
（付記２）前記制御信号は着呼信号であり、前記制御信号処理装置は呼制御装置であることを特徴とする付記１に記載の通信制御装置。
【０１６８】
（付記３）前記在圏情報は、前記端末の識別子と、前記接続要求を停止させる制御を行った際に前記端末が属していた前記制御信号処理装置の識別子と、の組み合わせの情報であることを特徴とする付記１または２に記載の通信制御装置。
【０１６９】
（付記４）前記制御部は、
前記端末が前記ネットワークに接続できる状態から前記ネットワークに接続できない状態になると前記接続要求を停止させる制御を行い、
前記端末が前記ネットワークに接続できない状態から前記ネットワークに接続できる状態になると前記制御信号を送信させる制御を行う、
ことを特徴とする付記１〜３のいずれか一つに記載の通信制御装置。
【０１７０】
（付記５）前記制御部は、前記保持部によって保持された前記在圏情報を他の通信制御装置へ送信することにより、前記在圏情報に応じた制御信号処理装置から前記制御信号を送信させる制御を前記他の通信制御装置に実行させることを特徴とする付記１〜４のいずれか一つに記載の通信制御装置。
【０１７１】
（付記６）前記制御部は、前記ネットワークに含まれる各制御信号処理装置のうち前記在圏情報に応じた制御信号処理装置から前記制御信号を送信させる制御を行うことを特徴とする付記１〜５のいずれか一つに記載の通信制御装置。
【０１７２】
（付記７）ネットワークへの接続要求を行う端末と、
前記端末による前記接続要求を停止させる制御を行った際の前記端末の在圏情報を保持し、前記端末に前記接続要求を再開させる制御信号を、保持した前記在圏情報に応じた制御信号処理装置から送信させる制御を行う通信制御装置と、
を含むことを特徴とする通信システム。
【０１７３】
（付記８）前記端末は、自端末の不揮発性メモリに記憶される所定情報に前記ネットワークの識別子が格納されている場合は前記ネットワークへの接続要求を停止し、前記接続要求を停止させる制御が行われると前記所定情報に前記ネットワークの識別子を格納し、前記制御信号を受信すると前記所定情報から前記ネットワークの識別子を削除することを特徴とする付記７に記載の通信システム。
【０１７４】
（付記９）端末によるネットワークへの接続要求を停止させる制御を行った際の前記端末の在圏情報を保持し、
前記端末に前記接続要求を再開させる制御信号を、保持した前記在圏情報に応じた制御信号処理装置から送信させる制御を行う、
処理をコンピュータに実行させることを特徴とする通信制御プログラム。
【０１７５】
（付記１０）端末によるネットワークへの接続要求を停止させる制御を行った際の前記端末の在圏情報を保持し、
前記端末に前記接続要求を再開させる制御信号を、保持した前記在圏情報に応じた制御信号処理装置から送信させる制御を行う、
ことを特徴とする通信制御方法。
【符号の説明】
【０１７６】
１００  通信システム
１０１  ネットワーク
１１０  通信制御装置
１１１  保持部
１１２  制御部
１２１  端末
１３１  制御信号処理装置
１４１  基地局
２００  ＬＴＥ通信システム
２０１  移動体ネットワーク
２１０，１７１０  ＢＳＳ
２２０  ＨＳＳ
２３１〜２３３  ＭＭＥ
２４１〜２４３  ｅＮＢ
２５１〜２５３，２６１〜２６３，２７１〜２７３  ＵＥ
９０１〜９０４  状態
１３１１，１３２１，１３３１  処理部
１３１２  対ＨＳＳ通信部
１３１３，１３２３  対ＭＭＥ通信部
１３１４，１３２４  データベース
１３２２  対ＢＳＳ通信部
１３３２  対ｅＮＢ通信部
１３３３，１５０５  ＳＩＭカード
１３３４  ＦＰＬＭＮ番号
１４００，１５００  情報処理装置
１４０１，１５０１  プロセッサ
１４０２，１５０２  メモリ
１４０３  通信インタフェース
１４０４，１５０３  ユーザインタフェース
１４０９，１５０９  バス
１５０４  無線通信インタフェース
１６００  在圏情報
【図１】
2018129771.tif 000003
【図２】
2018129771.tif 000004
【図３】
2018129771.tif 000005
【図４】
2018129771.tif 000006
【図５】
2018129771.tif 000007
【図６】
2018129771.tif 000008
【図７】
2018129771.tif 000009
【図８】
2018129771.tif 000010
【図９】
2018129771.tif 000011
【図１０】
2018129771.tif 000012
【図１１】
2018129771.tif 000013
【図１２】
2018129771.tif 000014
【図１３】
2018129771.tif 000015
【図１４】
2018129771.tif 000016
【図１５】
2018129771.tif 000017
【図１６】
2018129771.tif 000018
【図１７】
2018129771.tif 000019